(57)【要約】【課題】穿刺部材が外れたか否かについての誤検出を防止することができる穿刺部材外れ検出装置を提供する。【解決手段】穿刺部材外れ検出装置（１）は、生体に穿刺する穿刺部材（１０）と、生体との接触を検出する生体接触検出手段（２０）と、を備える。生体接触検出手段（２０）は、穿刺部材（１０）における生体との接触部分に設けられる。生体接触検出手段（２０）は、生体との接触が外れたことを検知した場合に、生体との接触が外れたことをアラーム発信器（３０）へ知らせる。【選択図】図１
2019118674.tif 000002
【特許請求の範囲】
【請求項１】
生体に穿刺する穿刺部材と、
前記生体との接触を検出する生体接触検出手段と、を備え、
前記生体接触検出手段は、前記穿刺部材における前記生体との接触部分に設けられる、
穿刺部材外れ検出装置。
【請求項２】
アラーム発信手段をさらに備え、
前記アラーム発信手段は、前記生体接触検出手段により前記生体との接触が外れたことが検知された場合に、アラームを発信する、
請求項１に記載の穿刺部材外れ検出装置。
【請求項３】
前記生体接触検出手段は、心拍センサであり、
前記心拍センサは、前記生体の心拍数が測定できない場合に、前記生体との接触が外れたことを検知する、
請求項１又は２に記載の穿刺部材外れ検出装置。
【請求項４】
前記生体接触検出手段は、温度センサであり、
前記温度センサは、所定の温度以下になった場合に、前記生体との接触が外れたことを検知する、
請求項１又は２に記載の穿刺部材外れ検出装置。
【請求項５】
前記生体接触検出手段は、生体接触通信手段であり、
前記生体接触通信手段は、生体接触通信が途切れた場合に、前記生体との接触が外れたことを検知する、
請求項１又は２に記載の穿刺部材外れ検出装置。
【請求項６】
前記穿刺部材は、翼状針であり、
前記生体接触検出手段は、前記翼状針における翼状部分の前記生体との接触部分に設けられる、
請求項１から５のいずれか１項に記載の穿刺部材外れ検出装置。
【請求項７】
前記穿刺部材は、留置針であり、
前記生体接触検出手段は、前記留置針における外筒部の前記生体との接触部分に設けられる、
請求項１から５のいずれか１項に記載の穿刺部材外れ検出装置。
【請求項８】
穿刺部材外れ検出装置と、アラーム発信器と、を備え、
前記穿刺部材外れ検出装置は、
生体に穿刺する穿刺部材と、
前記生体との接触を検出する生体接触検出手段と、を備え、
前記生体接触検出手段は、前記穿刺部材における前記生体との接触部分に設けられ、
前記アラーム発信器は、前記生体接触検出手段により前記生体との接触が外れたことが検知された場合に、アラームを発信する、
穿刺部材外れ検出システム。
【請求項９】
前記生体接触検出手段は、心拍センサであり、
前記心拍センサは、前記生体の心拍数が測定できない場合に、前記生体との接触が外れたことを検知する、
請求項８に記載の穿刺部材外れ検出システム。
【請求項１０】
穿刺部材における生体との接触部分に設けられた生体接触検出手段により前記生体との接触を検出し、
前記生体接触検出手段により前記生体との接触が外れたことを検知した場合に、前記生体との接触が外れたことをアラーム発信器へ知らせる、ことを含む
穿刺部材外れ検出方法。
【発明の詳細な説明】
【技術分野】
【０００１】
本発明は、穿刺部材外れ検出装置、穿刺部材外れ検出システム、及び穿刺部材外れ検出方法に関し、特に、注射針等の穿刺部材が人体等の生体から外れたことを検出する穿刺部材外れ検出装置、穿刺部材外れ検出システム、及び穿刺部材外れ検出方法に関する。
【背景技術】
【０００２】
点滴を使用する際等に、患者本人が気づかない間に注射針が外れてしまうことがあり得る。また、例えば患者が痴呆症である場合には、自ら注射針を取り除いてしまう場合があり得る。このため、痴呆症の患者に対しては、付添人等が見守る必要があり、２４時間体制で見守るケースもあり得る。このようなことから、注射針等の穿刺部材が外れたことを自動で検出できる装置が求められている。
【０００３】
特許文献１には、血流ノイズ音を発生させるための血流ノイズ音生成部と、血流ノイズ音を収集するマイクロフォン等の受信部と、を備えた血管外漏出検知装置が開示されている。特許文献１では、血流ノイズ音生成部は、カテーテルの先端開口部の付近に設けられ、受信部は、カテーテルの先端開口部を穿通した付近の皮膚上に貼り付けて固定される。そして、特許文献１では、血管外漏出検知装置において、受信部により、正常な血流ノイズ音を受信できずに、正常な血流ノイズ音とは異なる音を検知する時には、カテーテルの先端開口部が血管から外に外れていると判断する。
【先行技術文献】
【特許文献】
【０００４】
【特許文献１】特開２０１１−２００４２９号公報
【発明の概要】
【発明が解決しようとする課題】
【０００５】
しかし、特許文献１に開示の技術では、カテーテルの先端開口部が血管内に留置されている状態であっても、受信部が外れてしまった場合には、受信部は、正常な血流ノイズ音とは異なる音を検知してしまう。このような場合には、血管外漏出検知装置は、カテーテルの先端開口部が血管から外れていると誤って判断してしまう。また、特許文献１に開示の技術では、カテーテルの先端開口部が血管から外れている状態であっても、受信部が正常な血流ノイズ音と同じ音域の外部ノイズ音を拾ってしまうケースもあり得る。このような場合には、血管外漏出検知装置は、カテーテルの先端開口部が血管内に留置されていると誤って判断してしまう。すなわち、特許文献１に開示の技術では、カテーテルの先端開口部が血管から外れているか否かについて、誤って判断してしまう可能性があるという問題があった。
【０００６】
本開示は、このような問題点を解決するためになされたものであり、穿刺部材が外れたか否かについての誤検出を防止することができる穿刺部材外れ検出装置、穿刺部材外れ検出システム、及び穿刺部材外れ検出方法を提供することを目的とする。
【課題を解決するための手段】
【０００７】
本発明の第１の態様にかかる穿刺部材外れ検出装置は、生体に穿刺する穿刺部材と、前記生体との接触を検出する生体接触検出手段と、を備え、前記生体接触検出手段は、前記穿刺部材における前記生体との接触部分に設けられるものである。
【０００８】
本発明の第２の態様にかかる穿刺部材外れ検出システムは、穿刺部材外れ検出装置と、アラーム発信器と、を備え、前記穿刺部材外れ検出装置は、生体に穿刺する穿刺部材と、前記生体との接触を検出する生体接触検出手段と、を備え、前記生体接触検出手段は、前記穿刺部材における前記生体との接触部分に設けられ、前記アラーム発信器は、前記生体接触検出手段により前記生体との接触が外れたことが検知された場合に、アラームを発信するものである。
【０００９】
本発明の第３の態様にかかる穿刺部材外れ検出方法は、穿刺部材における生体との接触部分に設けられた生体接触検出手段により前記生体との接触を検出し、前記生体接触検出手段により前記生体との接触が外れたことを検知した場合に、前記生体との接触が外れたことをアラーム発信器へ知らせる、ことを含むものである。
【発明の効果】
【００１０】
本発明により、穿刺部材が外れたか否かについての誤検出を防止することができる穿刺部材外れ検出装置、穿刺部材外れ検出システム、及び穿刺部材外れ検出方法を提供することができる。
【図面の簡単な説明】
【００１１】
【図１】実施の形態１にかかる穿刺部材外れ検出装置の構成の一例を示す図である。
【図２】実施の形態１にかかる穿刺部材外れ検出装置の構成の他の例を示す図である。
【図３】実施の形態１にかかる穿刺部材外れ検出システムの構成例を示す図である。
【図４】実施の形態１にかかる穿刺部材が翼状針である場合の生体接触検出部の設置例について説明するための図である。
【図５】実施の形態１にかかる穿刺部材が翼状針である場合の生体接触検出部の設置例について説明するための図である。
【図６】実施の形態１にかかる穿刺部材が留置針である場合の生体接触検出部の設置例について説明するための図である。
【図７】実施の形態１にかかる穿刺部材が留置針である場合の生体接触検出部の設置例について説明するための図である。
【図８】実施の形態１にかかる穿刺部材外れ検出装置の動作例を示すフローチャートである。
【図９】実施の形態２にかかる心拍センサの構成例を示すブロック図である。
【発明を実施するための形態】
【００１２】
以下では、本発明の実施の形態について、図面を参照しながら詳細に説明する。各図面において、同一又は対応する要素には同一の符号が付されており、説明の明確化のため、必要に応じて重複説明は省略される。
【００１３】
実施の形態１
まず、図１を用いて、本発明の実施の形態１にかかる穿刺部材外れ検出装置１の構成例について説明する。穿刺部材外れ検出装置１は、穿刺部材１０と、生体接触検出部２０と、を備えている。
【００１４】
穿刺部材１０は、例えば、注射針、カテーテル、ドレーンチューブ等、生体に穿刺するものである。
【００１５】
生体接触検出部２０は、生体との接触を検出するものである。また、生体接触検出部２０は、穿刺部材１０における生体との接触部分に設けられる。また、生体接触検出部２０は、生体との接触が外れたことを検知した場合に、生体との接触が外れたことをアラーム発信器３０へ知らせる。なお、アラーム発信器３０は、穿刺部材外れ検出装置１が備える構成であってもよいし、穿刺部材外れ検出装置１が備える構成ではなく、別に設ける構成であってもよい。
【００１６】
穿刺部材外れ検出装置１がアラーム発信器３０を備える例を図２に示す。図２の例では、アラーム発信器３０は、穿刺部材１０上に設けられている。また、アラーム発信器３０は、有線又は無線により生体接触検出部２０に接続されている。なお、アラーム発信器３０を設ける箇所は、穿刺部材１０上でなくてもよい。
【００１７】
アラーム発信器３０を穿刺部材外れ検出装置１とは別に設ける例を図３に示す。なお、図３に示すような穿刺部材外れ検出装置１及びアラーム発信器３０からなる構成は、穿刺部材外れ検出システム１００とも呼ぶ。アラーム発信器３０は、有線又は無線により生体接触検出部２０に接続されている。この例において、アラーム発信器３０は、例えば、ナースセンターに設けてもよい。また、アラーム発信器３０を、スマートフォン等のアプリケーションとして設けるようにしてもよい。
【００１８】
なお、生体接触検出部２０は、生体との接触を検出している状態である場合に、検出信号をアラーム発信器３０へ出力し続けるようにしてもよい。すなわち、生体接触検出部２０は、生体との接触が外れた場合に、検出信号をアラーム発信器３０へ出力することを停止するようにしてもよい。この場合、アラーム発信器３０は、検出信号を受け取らなくなった場合に、アラームを発信する。また、生体接触検出部２０は、生体との接触が外れたことを検知した場合に、生体との接触が外れたことを示す検知信号をアラーム発信器３０へ出力するようにしてもよい。この場合、アラーム発信器３０は、検知信号を受け取った場合に、アラームを発信する。
【００１９】
続いて、図４及び図５を用いて、穿刺部材１０が翼状針１０Ａである場合の生体接触検出部２０の設置例について説明する。図４及び図５に示すように、翼状針１０Ａは、翼状部分１１を備えている。図５に示すように、生体接触検出部２０は、翼状部分１１における生体との接触部分に設けられる。すなわち、翼状針１０Ａの針の先端が生体に穿刺された状態において、生体接触検出部２０は、生体へ接触された状態になる。
【００２０】
続いて、図６及び図７を用いて、穿刺部材１０が留置針１０Ｂである場合の生体接触検出部２０の設置例について説明する。図６及び図７に示すように、留置針１０Ｂは、内針部１２と、外筒部１３と、を備えている。図７に示すように、生体接触検出部２０は、外筒部１３における生体との接触部分に設けられる。すなわち、留置針１０Ｂの外筒部１３が体内に留置された状態において、生体接触検出部２０は、生体へ接触された状態になる。
【００２１】
続いて、図８のフローチャートを用いて、穿刺部材外れ検出装置１の動作例について説明する。
【００２２】
まず、穿刺部材外れ検出装置１は、生体へ装着される（ステップＳ１０１）。なお、生体へ装着されるとは、穿刺部材１０が生体に穿刺され、生体接触検出部２０が生体に接触された状態になることを示す。
【００２３】
次に、穿刺部材外れ検出装置１は、生体接触検出部２０の動作をオンにされ、生体との接触検出を開始する（ステップＳ１０２）。なお、生体接触検出部２０の動作のオンは、例えば、薬液を穿刺部材１０により生体に点滴する用途の場合には、点滴を開始する際に行う。
【００２４】
次に、穿刺部材外れ検出装置１は、生体接触検出部２０により、生体との接触が外れたことを検知したかどうかを判定する（ステップＳ１０３）。
【００２５】
生体との接触が外れたことを検知していない場合（ステップＳ１０３にてＮＯ）、穿刺部材外れ検出装置１は、生体接触検出部２０による検出を続ける。他方、生体との接触が外れたことを検知した場合（ステップＳ１０３にてＹＥＳ）、穿刺部材外れ検出装置１は、生体との接触が外れたことをアラーム発信器３０へ知らせる（ステップＳ１０４）。
【００２６】
そして、点滴が正常に終了した際には、穿刺部材外れ検出装置１は、生体接触検出部２０の動作をオフにされ、生体との接触検出を終了する。
【００２７】
以上のように、本発明の実施の形態１にかかる穿刺部材外れ検出装置１は、生体に穿刺する穿刺部材１０と、生体との接触を検出する生体接触検出部２０と、を備える構成としている。また、穿刺部材外れ検出装置１では、生体接触検出部２０は、穿刺部材１０における生体との接触部分に設けられる構成としている。これにより、本実施の形態１にかかる穿刺部材外れ検出装置１では、穿刺部材１０が生体から外れた場合に、生体接触検出部２０が生体から離れることにより生体との接触が外れたことを検知することができる。また、穿刺部材外れ検出装置１では、穿刺部材１０が生体に穿刺された状態で、生体接触検出部２０が生体との接触が外れたことを検知してしまうことはない。また、穿刺部材外れ検出装置１では、穿刺部材１０が生体から外れた状態で、生体接触検出部２０が生体との接触が外れたことを検知しないことはない。すなわち、本実施の形態１にかかる穿刺部材外れ検出装置１では、穿刺部材１０が外れたか否かについての誤検出を防止することができる。
【００２８】
このため、穿刺部材外れ検出装置１を使用することにより、人による見守りが不要となる。すなわち、見守りの負荷軽減を実現することができる。また、２４時間体制等の場合に想定される居眠りによるチェック漏れ等を防ぐことができる。さらに、穿刺部材１０が外れたことの早期発見による事故防止を実現することができる。
【００２９】
実施の形態２
続いて、実施の形態２にかかる穿刺部材外れ検出装置２について説明する。実施の形態２にかかる穿刺部材外れ検出装置２は、生体接触検出部２０として心拍センサ２１を用いる。すなわち、穿刺部材外れ検出装置２は、穿刺部材１０と、心拍センサ２１と、を備えている。なお、穿刺部材外れ検出装置２の構成は、図１の実施の形態１にかかる穿刺部材外れ検出装置１の構成と同様であるため、図示及び説明を省略する。
【００３０】
続いて、図９のブロック図を用いて、心拍センサ２１の構成例について説明する。心拍センサ２１は、生体の心拍数が測定できない場合に、生体との接触が外れたことを検知するものである。心拍センサ２１は、センサ部２０１と、共振回路２０２と、整流・平滑化回路２０３と、回路ブロック２０４と、を備えている。
【００３１】
回路ブロック２０４は、データ格納部２２１と、制御部２２２と、を備えている。なお、データ格納部２２１は、ＲＡＭ (Random Access Memory)、ＲＯＭ (Read Only Memory)等から構成され、制御部２２２の動作プログラムや制御データを記憶する。また、制御部２２２は、プロセッサ等から構成され、データ格納部２２１に記憶されているプログラムに従って動作する。
【００３２】
センサ部２０１は、薄板状の永久磁石２１１と、永久磁石２１１を支持する複数の弾性部材２１２から構成される。なお、弾性部材２１２は、例えばバネである。また、永久磁石２１１は、樹脂基板等の基板２１３に形成された開口２１４内に支持される。
【００３３】
基板２１３の開口２１４の周囲には、コイル状にアンテナ２１５が形成されている。また、アンテナ２１５には、共振回路２０２と整流・平滑化回路２０３が接続されている。
【００３４】
永久磁石２１１の重量と、弾性部材２１２の弾性定数、個数、配置は、この心拍センサ２１を生体に接触させた場合に、永久磁石２１１が人間の心拍による体表面の振動や、呼吸による振動に共振するように設定される。例えば、永久磁石２１１の重量と、弾性部材２１２の弾性定数、個数、配置は、共振周波数が５０Ｈｚ〜８０Ｈｚ程度となるように設定される。また、共振回路２０２についても、共振周波数が５０Ｈｚ〜８０Ｈｚ程度となるように設定される。
【００３５】
整流・平滑化回路２０３の出力は、検出信号として、回路ブロック２０４に供給される。回路ブロック２０４の制御部２２２は、整流・平滑化回路２０３からの検出信号に応じて、アラーム発信器３０のアラームを発信させるか否かを制御する。具体的には、制御部２２２は、整流・平滑化回路２０３から検出信号が供給されている間、検出信号をアラーム発信器３０へ出力する。また、制御部２２２は、整流・平滑化回路２０３から検出信号が供給されない場合には、検出信号をアラーム発信器３０へ出力しない。すなわち、制御部２２２は、整流・平滑化回路２０３から検出信号が供給されない場合に、生体との接触が外れたことを検知し、検出信号の出力を停止する。これにより、制御部２２２は、生体との接触外れをアラーム発信器３０へ知らせる。そして、アラーム発信器３０は、検出信号を受け取らなくなった場合に、アラームを発信する。
【００３６】
なお、穿刺部材外れ検出装置２がアラーム発信器３０を備えていない構成の場合には、制御部２２２は、整流・平滑化回路２０３から検出信号が供給されている間、図示しない送信部を用いて、検出信号をアラーム発信器３０へ送信する。
【００３７】
続いて、このような構成の心拍センサ２１の動作について説明する。心拍センサ２１が生体に非接触の状態では、永久磁石２１１は振動せず、アンテナ２１５の出力信号はほぼ０Ｖである。このため、整流・平滑化回路２０３の出力も０Ｖであり、検出信号は出力されない。
【００３８】
一方、心拍センサ２１が生体に接触された状態では、心拍或いは呼吸による体表面の振動に永久磁石２１１が共振し、永久磁石２１１は比較的大きく振動する。このため、永久磁石２１１からの磁束をアンテナ２１５が横切ることになり、アンテナ２１５に誘導起電力が発生する。この誘導起電力の周波数は、共振回路２０２の共振周波数にほぼ等しく、共振回路２０２は、心拍による信号を増幅し、ノイズ周波数を減衰して出力する。整流・平滑化回路２０３は、共振回路２０２の出力する交流信号を整流及び平滑化することにより検出信号を生成する。そして、整流・平滑化回路２０３は、検出信号を回路ブロック２０４内の制御部２２２に供給する。制御部２２２は、整流・平滑化回路２０３から検出信号が供給されている間、検出信号をアラーム発信器３０へ出力する。
【００３９】
心拍センサ２１による生体との接触が外れると、永久磁石２１１は振動しなくなる。このため、制御部２２２は、検出信号の出力を停止する。
【００４０】
なお、図９では、センサ部２０１とその他の回路とを横に並べた構成を示しているが、並べ方はこれに限らない。例えば、生体との接触側にセンサ部２０１を設け、その上部にその他の回路を設ける構成としてもよい。この構成により、心拍センサ２１に要する面積を小さくすることができる。
【００４１】
以上のように、本発明の実施の形態２にかかる穿刺部材外れ検出装置２では、生体接触検出部２０として、心拍センサ２１を用いる構成としている。また、心拍センサ２１は、生体の心拍数が測定できない場合に、生体との接触が外れたことを検知する構成としている。また、心拍センサ２１は、心拍センサ２１が生体に接触された状態では、検出信号をアラーム発信器３０へ出力し、生体との接触が外れたことを検知した場合に、検出信号の出力を停止する構成としている。これにより、本発明の実施の形態２にかかる穿刺部材外れ検出装置２では、心拍センサ２１が生体との接触が外れたことを検知した場合に、アラーム発信器３０によりアラームを発信させることができる。
【００４２】
その他の実施の形態
実施の形態２では、生体接触検出部２０として心拍センサ２１を用いる例について説明したが、生体接触検出部２０はこれに限らない。生体接触検出部２０として、例えば、温度センサ２２や生体接触通信タグ２３を用いてもよい。
【００４３】
生体接触検出部２０として温度センサ２２を用いる場合、温度センサ２２は、所定の温度以下になった場合に、生体との接触が外れたことを検知するようにしてもよい。また、温度センサ２２は、生体との接触・非接触の温度差を検出することにより、生体との接触が外れたことを検知するようにしてもよい。
【００４４】
生体接触検出部２０として生体接触通信タグ２３を用いる場合、生体接触通信タグ２３は、生体接触通信が途切れた場合に、生体との接触が外れたことを検知するようにしてもよい。なお、生体接触検出部２０として生体接触通信タグ２３を用いる場合には、生体接触通信タグ２３の通信相手の装置についてもその生体と接触している必要がある。このため、例えば、ベッドにおける生体と接触する位置に、通信相手の装置を設けるようにしてもよい。この場合、生体接触通信タグ２３は、生体を介して、ベッドに設置された通信相手の装置と生体接触通信を行うことができる。
【００４５】
以上、実施の形態を参照して本願発明を説明したが、本願発明は上記実施の形態によって限定されるものではない。本願発明の構成や詳細には、発明のスコープ内で当業者が理解し得る様々な変更をすることができる。
【００４６】
例えば、上記の実施形態の一部又は全部は、以下の付記のようにも記載され得るが、以下には限られない。
【００４７】
（付記１）
生体に穿刺する穿刺部材と、
前記生体との接触を検出する生体接触検出手段と、を備え、
前記生体接触検出手段は、前記穿刺部材における前記生体との接触部分に設けられる、
穿刺部材外れ検出装置。
【００４８】
（付記２）
アラーム発信手段をさらに備え、
前記アラーム発信手段は、前記生体接触検出手段により前記生体との接触が外れたことが検知された場合に、アラームを発信する、
付記１に記載の穿刺部材外れ検出装置。
【００４９】
（付記３）
前記生体接触検出手段は、心拍センサであり、
前記心拍センサは、前記生体の心拍数が測定できない場合に、前記生体との接触が外れたことを検知する、
付記１又は２に記載の穿刺部材外れ検出装置。
【００５０】
（付記４）
前記生体接触検出手段は、温度センサであり、
前記温度センサは、所定の温度以下になった場合に、前記生体との接触が外れたことを検知する、
付記１又は２に記載の穿刺部材外れ検出装置。
【００５１】
（付記５）
前記生体接触検出手段は、生体接触通信手段であり、
前記生体接触通信手段は、生体接触通信が途切れた場合に、前記生体との接触が外れたことを検知する、
付記１又は２に記載の穿刺部材外れ検出装置。
【００５２】
（付記６）
前記穿刺部材は、翼状針であり、
前記生体接触検出手段は、前記翼状針における翼状部分の前記生体との接触部分に設けられる、
付記１から５のいずれか１項に記載の穿刺部材外れ検出装置。
【００５３】
（付記７）
前記穿刺部材は、留置針であり、
前記生体接触検出手段は、前記留置針における外筒部の前記生体との接触部分に設けられる、
付記１から５のいずれか１項に記載の穿刺部材外れ検出装置。
【００５４】
（付記８）
穿刺部材外れ検出装置と、アラーム発信器と、を備え、
前記穿刺部材外れ検出装置は、
生体に穿刺する穿刺部材と、
前記生体との接触を検出する生体接触検出手段と、を備え、
前記生体接触検出手段は、前記穿刺部材における前記生体との接触部分に設けられ、
前記アラーム発信器は、前記生体接触検出手段により前記生体との接触が外れたことが検知された場合に、アラームを発信する、
穿刺部材外れ検出システム。
【００５５】
（付記９）
前記生体接触検出手段は、心拍センサであり、
前記心拍センサは、前記生体の心拍数が測定できない場合に、前記生体との接触が外れたことを検知する、
付記８に記載の穿刺部材外れ検出システム。
【００５６】
（付記１０）
穿刺部材における生体との接触部分に設けられた生体接触検出手段により前記生体との接触を検出し、
前記生体接触検出手段により前記生体との接触が外れたことを検知した場合に、前記生体との接触が外れたことをアラーム発信器へ知らせる、ことを含む
穿刺部材外れ検出方法。
【００５７】
（付記１１）
穿刺部材における生体との接触部分に設けられた生体接触検出手段により前記生体との接触を検出し、
前記生体接触検出手段により前記生体との接触が外れたことを検知した場合に、前記生体との接触が外れたことをアラーム発信器へ知らせる、ことを含む処理をプロセッサに実行させる
プログラム。
【符号の説明】
【００５８】
１、２    穿刺部材外れ検出装置
１０    穿刺部材
１０Ａ    翼状針
１０Ｂ    留置針
１１    翼状部分
１２    内針部
１３    外筒部
２０    生体接触検出部
２１    心拍センサ
２２    温度センサ
２３    生体接触通信タグ
３０    アラーム発信器
１００    穿刺部材外れ検出システム
【図１】
2019118674.tif 000003
【図２】
2019118674.tif 000004
【図３】
2019118674.tif 000005
【図４】
2019118674.tif 000006
【図５】
2019118674.tif 000007
【図６】
2019118674.tif 000008
【図７】
2019118674.tif 000009
【図８】
2019118674.tif 000010
【図９】
2019118674.tif 000011
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
生体に穿刺する穿刺部材と、
前記生体との接触を検出する生体接触検出手段と、を備え、
前記生体接触検出手段は、前記穿刺部材の先端部を前記生体と接触させた状態で前記生体と接触可能な前記穿刺部材上の位置に設けられ、
前記生体接触検出手段は、生体接触通信手段であり、
前記生体接触通信手段は、生体接触通信が途切れた場合に、前記生体との接触が外れたことを検知する、
穿刺部材外れ検出装置。
【請求項２】
アラーム発信手段をさらに備え、
前記アラーム発信手段は、前記生体接触検出手段により前記生体との接触が外れたことが検知された場合に、アラームを発信する、
請求項１に記載の穿刺部材外れ検出装置。
【請求項３】
前記穿刺部材は、翼状針であり、
前記生体接触検出手段は、前記翼状針における翼状部分に設けられる、
請求項１又は２に記載の穿刺部材外れ検出装置。
【請求項４】
前記穿刺部材は、留置針であり、
前記生体接触検出手段は、前記留置針における外筒部に設けられる、
請求項１又は２に記載の穿刺部材外れ検出装置。
【請求項５】
穿刺部材外れ検出装置と、アラーム発信器と、を備え、
前記穿刺部材外れ検出装置は、
生体に穿刺する穿刺部材と、
前記生体との接触を検出する生体接触検出手段と、を備え、
前記生体接触検出手段は、前記穿刺部材の先端部を前記生体と接触させた状態で前記生体と接触可能な前記穿刺部材上の位置に設けられ、
前記生体接触検出手段は、生体接触通信手段であり、
前記生体接触通信手段は、生体接触通信が途切れた場合に、前記生体との接触が外れたことを検知し、
前記アラーム発信器は、前記生体接触検出手段により前記生体との接触が外れたことが検知された場合に、アラームを発信する、
穿刺部材外れ検出システム。
【請求項６】
穿刺部材外れ検出装置の制御部が、穿刺部材の先端部を生体と接触させた状態で前記生体と接触可能な前記穿刺部材上の位置に設けられた生体接触検出手段により、前記生体との接触を検出し、
前記制御部が、前記生体接触検出手段により前記生体との接触が外れたことを検知した場合に、前記生体との接触が外れたことをアラーム発信器へ知らせる、ことを含み、
前記生体接触検出手段は、生体接触通信手段であり、
前記生体接触通信手段は、生体接触通信が途切れた場合に、前記生体との接触が外れたことを検知する、
穿刺部材外れ検出方法。